【手続補正書】
【提出日】平成19年7月4日(2007.7.4)
【手続補正１】
【補正対象書類名】明細書
【補正対象項目名】特許請求の範囲
【補正方法】変更
【補正の内容】
【特許請求の範囲】
【請求項１】
パケットネットワークと回路ネットワークとを有する通信ネットワークにおいて呼を設定する方法であって、
（Ａ）仮想トランスポートサーバが回路ネットワークに接続された電話交換機から回路識別コードを受信したことに応答して、発呼情報を、前記仮想トランスポートサーバからパケット回路ゲートウェイに送信するステップと、
（Ｂ）前記仮想トランスポートサーバがパケット回路ゲートウェイから仮想回路ルーティング情報を受信したことに応答して、発呼情報と仮想回路ルーティング情報とを、前記仮想トランスポートサーバから他の仮想トランスポートサーバに送るステップと、
（Ｃ）前記他の仮想トランスポートサーバが仮想回路ルーティング情報を他のパケット回路ゲートウェイに送信したことに応答して、他の回路識別コードを、他のパケット回路ゲートウェイから他の仮想トランスポートサーバで受領するステップと、
（Ｄ）発呼情報と他の回路識別コードとを、他の仮想トランスポートサーバから他の電話交換機に送信するステップとを有することを特徴とする方法。
【請求項２】
（Ｅ）冗長回路信号リンクで、前記仮想トランスポートサーバを回路ネットワークに接続するステップをさらに有することを特徴とする請求項１記載の方法。
【請求項３】
前記冗長回路信号リンクが共通チャネル信号リンクに関連づけられていることを特徴とする請求項２記載の方法。
【請求項４】
前記仮想トランスポートサーバは冗長仮想トランスポートサーバを含むことを特徴とする請求項１記載の方法。
【請求項５】
（Ｆ）前記仮想トランスポートサーバと前記冗長仮想トランスポートサーバとの間で呼設定の処理を共有するステップを有することを特徴とする請求項４記載の方法。
【請求項６】
（Ｇ）前記冗長仮想トランスポートサーバにおいて仮想トランスポートサーバに割り当てられたポイントノードをエイリアスするステップを有することを特徴とする請求項４記載の方法。
【請求項７】
（Ｈ）パケットリンクの冗長対で、前記仮想トランスポートサーバをパケットネットワークに接続するステップを有することを特徴とする請求項１記載の方法。
【請求項８】
（Ｉ）仮想トランスポートサーバをパケット回路ゲートウェイと同一場所に配置するステップを有することを特徴とする請求項１記載の方法。
【請求項９】
パケットネットワークと、電話交換機を有する回路ネットワークとを有する通信ネットワークで発呼する方法であって、
（Ａ）回路ネットワークに接続された電話交換機から送信された回路識別コードを有する発呼情報を、プロセッサで受信するステップと、
（Ｂ）前記発呼情報を、パケットネットワークを介してパケット回路ゲートウェイに送信するステップと、
（Ｃ）前記プロセッサがパケット回路ゲートウェイから仮想回路情報を受信したことに応答して、発呼情報と仮想回路情報とを前記プロセッサから仮想トランスポートサーバに送信するステップとを有することを特徴とする方法。
【請求項１０】
（Ｄ）関連する共通チャネル信号リンクの冗長対で、前記プロセッサを回路ネットワークに結合するステップをさらに有することを特徴とする請求項９記載の方法。
【請求項１１】
前記プロセッサに接続された冗長プロセッサを有することを特徴とする請求項１０記載の方法。
【請求項１２】
（Ｅ）前記プロセッサと冗長プロセッサとの間で発呼情報の処理を共有するステップを有することを特徴とする請求項１１記載の方法。
【請求項１３】
（Ｆ）冗長プロセッサにおいてプロセッサに関連づけられたポイントノードをエイリアスするステップを有することを特徴とする請求項１１記載の方法。
【請求項１４】
（Ｇ）パケットリンクの冗長対で、プロセッサをパケットネットワークに接続するステップを有することを特徴とする請求項９記載の方法。
【請求項１５】
（Ｈ）前記プロセッサをパケット回路ゲートウェイと同一場所に配置するステップを有することを特徴とする請求項９記載の方法。
【請求項１６】
パケットネットワークと、電話交換機を有する回路ネットワークとを有する通信ネットワークで着呼する方法であって、
（Ａ）仮想トランスポートサーバからの発呼情報と仮想回路ルーティング情報とをプロセッサで受信するステップと、
（Ｂ）回路識別コードを割り当てるために、前記仮想回路ルーティング情報をパケット回路ゲートウェイに送信するステップと、
（Ｃ）プロセッサがパケット回路ゲートウェイから回路識別コードを受信したことに応答して、発呼情報と回路識別コードとをプロセッサから電話交換機に送信するステップとを有することを特徴とする方法。
【請求項１７】
（Ｄ）関連する共通チャネル信号リンクの冗長対で、前記プロセッサを回路ネットワークに結合するステップを有することを特徴とする請求項１６記載の方法。
【請求項１８】
前記プロセッサに接続された冗長プロセッサを有することを特徴とする請求項１６記載の方法。
【請求項１９】
（Ｅ）前記プロセッサと冗長プロセッサとの間で発呼情報の処理を共有するステップを有することを特徴とする請求項１８記載の方法。
【請求項２０】
（Ｆ）前記プロセッサが利用できないときに前記プロセッサに送信されたメッセージを前記冗長プロセッサが受信するために、前記プロセッサに関連づけられたポイントコードを冗長プロセッサにエイリアスするステップを有することを特徴とする請求項１８記載の方法。
【請求項２１】
（Ｇ）パケットリンクの冗長対で、プロセッサをパケットネットワークに接続するステップを有することを特徴とする請求項１６記載の方法。
【請求項２２】
（Ｈ）前記プロセッサをパケット回路ゲートウェイと同一場所に配置するステップを有することを特徴とする請求項１６記載の方法。
【請求項２３】
パケットネットワークと、電話交換機を有する回路ネットワークとを有する通信ネットワークにおける仮想トランスポートサーバであって、
（Ａ）仮想トランスポートサーバと回路ネットワークに接続された電話交換機との間の信号リンクを終端する回路信号インタフェースと、
（Ｂ）仮想トランスポートサーバとパケットネットワークとの間のパケットリンクを終端するパケット信号インタフェースと、
（Ｃ）電話交換機から回路識別コードを有する発呼情報を受信する、プロセッサと回路信号インタフェースとに接続した回路受信器と、
（Ｄ）前記プロセッサが回路受信器からの発呼情報を処理したことに応答して仮想トランスポートサーバからパケット回路ゲートウェイへ発呼情報を送信する、前記プロセッサとパケット信号インタフェースとに接続されたパケット送信器と、
（Ｅ）仮想回路情報を受信し、そして受信した仮想回路情報をプロセッサが処理したことに応答して、発呼情報と仮想回路情報を前記パケット送信器から他の仮想トランスポートサーバへ送信する、前記プロセッサと前記パケット信号インタフェースとに接続されたパケット受信器とを有することを特徴とする仮想トランスポートサーバ。
【請求項２４】
前記回路信号インタフェースと電話交換機とに接続された冗長信号リンクを有することを特徴とする請求項２３記載の仮想トランスポートサーバ。
【請求項２５】
前記仮想トランスポートサーバに接続された冗長仮想トランスポートサーバを有することを特徴とする請求項２４記載の仮想トランスポートサーバ。
【請求項２６】
前記冗長仮想トランスポートサーバと仮想トランスポートサーバとは発呼情報の処理を分割して行うことを特徴とする請求項２５記載の仮想トランスポートサーバ。
【請求項２７】
前記冗長仮想トランスポートサーバは、仮想トランスポートサーバに関連するエイリアスポイントコードを有することを特徴とする請求項２５記載の仮想トランスポートサーバ。
【請求項２８】
前記パケット信号インタフェースとパケットネットワークとに接続された冗長パケットリンクを有することを特徴とする請求項２３記載の仮想トランスポートサーバ。
【請求項２９】
電話交換機を有する回路ネットワークとパケットネットワークとへの接続を有する通信ネットワークにおける仮想トランスポートサーバにおいて、
（Ａ）仮想トランスポートサーバと回路ネットワークに接続された電話交換機との間の信号リンクを終端する回路信号インタフェースと、
（Ｂ）仮想トランスポートサーバとパケットネットワークとの間のパケットリンクを終端するパケット信号インタフェースと、
（Ｃ）パケットネットワークを介した他の仮想トランスポートサーバからの発呼情報と仮想回路ルーティング情報とを受信する、プロセッサとパケット信号インタフェースに接続されたパケット受信器と、
（Ｄ）パケット受信器が受信した発呼情報と仮想回路ルーティング情報とをプロセッサが処理することに応答して、仮想トランスポートサーバからパケット回路ゲートウェイに仮想回路ルーティング情報を送信する、プロセッサとパケット信号インタフェースとに接続されたパケット送信器と、
（Ｅ）パケット回路ゲートウェイからパケット受信器が受信した回路識別コードをプロセッサが処理することに応答して、仮想トランスポートサーバから回路ネットワークに接続された電話交換機へ発呼情報と回路識別コードとを送信する、前記プロセッサと回路信号インタフェースとに接続された回路送信器とを有することを特徴とする仮想トランスポートサーバ。
【請求項３０】
前記回路信号インタフェースと電話交換機とに接続された冗長信号リンクを有することを特徴とする請求項２９記載の仮想トランスポートサーバ。
【請求項３１】
前記仮想トランスポートサーバに接続された冗長仮想トランスポートサーバを有することを特徴とする請求項３０記載の仮想トランスポートサーバ。
【請求項３２】
前記冗長仮想トランスポートサーバと仮想トランスポートサーバとは発呼情報の処理を分割して行うことを特徴とする請求項３１記載の仮想トランスポートサーバ。
【請求項３３】
前記冗長仮想トランスポートサーバは、仮想トランスポートサーバに関連するエイリアスポイントコードを有し、仮想トランスポートサーバが利用できないときに、仮想トランスポートサーバに配送されたメッセージを受信することを特徴とする請求項３１記載の仮想トランスポートサーバ。
【請求項３４】
前記パケット信号インタフェースとパケットネットワークとに接続された冗長パケットリンクを有することを特徴とする請求項２９記載の仮想トランスポートサーバ。